(57)【特許請求の範囲】
【請求項１】
洗浄組成物であって：
（ａ）ポリアルキレンイミン骨格と、前記ポリアルキレンイミン骨格の窒素原子に結合している少なくとも１つの側鎖とを含み、前記ポリアルキレンイミン骨格が１００〜１００，０００ダルトンの範囲の数平均分子量（ＭＷｎ）を有し、及び前記少なくとも１つの側鎖が下記の実験式を有する、１重量％〜５重量％の少なくとも１つのアルコキシ化ポリアルキレンイミン：
−（ＥＯ）ｂ（ＰＯ）ｃ−Ｒ          （Ｉ）
（式中、ＥＯは、エチレンオキシドであり、ｂは、３〜６０の範囲の値を有し、ＰＯは、プロピレンオキシドであり、ｃは、０〜６０の範囲の値を有し、Ｒは、水素、Ｃ１〜Ｃ４アルキル及びそれらの組み合わせからなる群から選択される）；
（ｂ）５員〜９員芳香族環を各々が含む１つ以上のアリール部分を含み、前記芳香族環が、置換されていても又は非置換であってもよく、ヘテロ原子のものであっても又はホモ原子のものであってもよく、単環式であっても又は多環式であってもよい、０．０２重量％〜０．５重量％の有機変性シリコーン；
（ｃ）前記有機変性シリコーンへの０．８〜１．２５の溶解度指数を有する、０．０２重量％〜０．５重量％のシロキサン系希釈剤；
（ｄ）０．００２重量％〜０．０５重量％の疎水変性シリカ；および
（ｅ）０．００２重量％〜０．０５重量％のシリコーン樹脂；
を含み、
Ｃ１０〜Ｃ２０直鎖状アルキルベンゼンスルホネート、０．１〜５．０の範囲の平均エトキシ化度を有するＣ１０〜Ｃ２０直鎖状又は分岐アルキルエトキシスルフェート、１〜２０の範囲の重量平均アルコキシ化度を有するＣ８〜Ｃ１８アルキルアルコキシ化アルコールおよびアルキルジメチルアミンオキシドをさらに含む、洗浄組成物。
【請求項２】
１００〜５０００ダルトンの範囲のＭｗｎを有するポリアルキレンイミン骨格を有する第一のアルコキシ化ポリアルキレンイミンを含み；ｂは、１０〜５０の範囲である、請求項１に記載の洗浄組成物。
【請求項３】
１００〜５０００ダルトンの範囲のＭｗｎを有するポリアルキレンイミン骨格を有する第二のアルコキシ化ポリアルキレンイミンを更に含み；ｂは、５〜４０の範囲であり；及びｃは、０である、請求項２に記載の洗浄組成物。
【請求項４】
前記第一のアルコキシ化ポリアルキレンイミンと第二のアルコキシ化ポリアルキレンアミンとの重量比が１：１０〜１０：１の範囲である、請求項３に記載の洗浄組成物。
【請求項５】
前記少なくとも１つのアルコキシ化ポリアルキレンイミンを０．０１重量％〜２０重量％の範囲の量で含む、請求項１に記載の洗浄組成物。
【請求項６】
前記有機変性シリコーン中の前記１つ以上のアリール部分の芳香族環が、フェニル、フラン、ピロール、チオフェン、イミダゾール、ピラゾール、オキサゾール、ピリジン、ピラジン、ナフタレン、アントラセン部分及びそれらの誘導体からなる群から選択される、請求項１に記載の洗浄組成物。
【請求項７】
前記有機変性シリコーンが１つ以上のＣ２〜Ｃ２０脂肪族部分を更に含む、請求項１に記載の洗浄組成物。
【請求項８】
前記有機変性シリコーンは、２−フェニルプロピル部分を含有するシロキサン単位１ｍｏｌ％〜７５ｍｏｌ％と、Ｃ３〜Ｃ３０アリール部分を含有するシロキサン単位１ｍｏｌ％〜２０ｍｏｌ％とを含む、請求項１に記載の洗浄組成物。
【請求項９】
前記シロキサン系希釈剤が、前記有機変性シリコーンへの０．８５〜１．２の溶解度指数を有する、請求項１に記載の洗浄組成物。
【請求項１０】
前記シロキサン系希釈剤が、２０秒−１の剪断速度及び２５℃で、０．５ｍｍ２／秒〜１０，０００ｍｍ２／秒（０．５ｃＳｔ〜１０，０００ｃＳｔ）の範囲の粘度を有するポリジメチルシロキサンである、請求項１に記載の洗浄組成物。
【請求項１１】
前記シロキサン系希釈剤が、より高い粘度を有する第一のポリジメチルシロキサンと、より低い粘度を有する第二のポリジメチルシロキサンとを含み、前記第一のポリジメチルシロキサンの前記第二のポリジメチルシロキサンに対する重量比が、１：１より大きい、請求項１０に記載の洗浄組成物。
【請求項１２】
２０秒−１の剪断速度及び２５℃で測定されたとき、前記第一のより高い粘度が８ｍｍ２／秒〜１２ｍｍ２／秒（８ｃＳｔ〜１２ｃＳｔ）の範囲であり、及び前記第二のより低い粘度が５ｍｍ２／秒〜１０ｍｍ２／秒（５ｃＳｔ〜１０ｃＳｔ）の範囲である、請求項１１に記載の洗浄組成物。
【請求項１３】
（ｆ）前記洗浄組成物中に、０重量％〜０．５重量％の範囲の量で存在する、前記シリコーン樹脂用の溶剤を更に含む、請求項１に記載の洗浄組成物。
【請求項１４】
アニオン性界面活性剤、非イオン性界面活性剤、カチオン性界面活性剤、両性界面活性剤、双性イオン性界面活性剤、及びそれらの組み合わせからなる群から選択される１種以上の界面活性剤を更に含む、請求項１に記載の洗浄組成物。
【請求項１５】
請求項１〜１４のいずれか一項に記載の洗浄組成物を含む消費者製品であって、布地ケア製品及びホームケア製品である、消費者製品。
【請求項１６】
液体洗剤組成物であって：
（ａ）ポリアルキレンイミン骨格と、前記ポリアルキレンイミン骨格の窒素原子に結合している少なくとも１つの側鎖とを含み、前記ポリアルキレンイミン骨格が２００〜１０００ダルトンの範囲の数平均分子量（ＭＷｎ）を有し、及び前記少なくとも１つの側鎖が下記の実験式を有する、１重量％〜５重量％の少なくとも１つのアルコキシ化ポリアルキレンイミン：
−（ＥＯ）ｂ（ＰＯ）ｃ−Ｒ      （Ｉ）
（式中、ＥＯは、エチレンオキシドであり、ｂは、２０〜３０の範囲の値を有し、ＰＯは、プロピレンオキシドであり、ｃは、１０〜３０の範囲の値を有し、Ｒは、水素である）；
（ｂ）２−フェニルプロピル部分を含有するシロキサン単位１０ｍｏｌ％〜４０ｍｏｌ％とＣ６〜Ｃ１０アルキル部分を含有するシロキサン単位３ｍｏｌ％〜１０ｍｏｌ％とを含む、０．０２重量％〜０．５重量％の有機変性シリコーン；
（ｃ）前記有機変性シリコーンへの０．８５〜１の溶解度指数を有する、０．０２重量％〜０．５重量％のシロキサン系希釈剤；
（ｄ）０．００２重量％〜０．０５重量％の疎水変性シリカ；
（ｅ）０．００２重量％〜０．０５重量％のシリコーン樹脂；
（ｉ）水を含み、
Ｃ１０〜Ｃ２０直鎖状アルキルベンゼンスルホネート、０．１〜５．０の範囲の平均エトキシ化度を有するＣ１０〜Ｃ２０直鎖状又は分岐アルキルエトキシスルフェート、１〜２０の範囲の重量平均アルコキシ化度を有するＣ８〜Ｃ１８アルキルアルコキシ化アルコールおよびアルキルジメチルアミンオキシドをさらに含む、液体洗剤組成物。
【請求項１７】
布地又は食器を洗うための、請求項１６に記載の液体洗剤組成物の使用。
【請求項１８】
布地又は食器の手洗い用である、請求項１７に記載の使用。
【発明の詳細な説明】
【技術分野】
【０００１】
本発明は、洗浄製品に、好ましくは洗濯又は食器用液体洗剤製品に関する。本発明の洗浄製品は、アルコキシ化ポリアルキレンイミン、有機変性シリコーン、及びシロキサン系希釈剤を含有し、これらは、併用すると、洗浄過程のすすぎサイクル中の泡を低減させるそれらの能力の驚くべき、予想外の改善を示す。
【背景技術】
【０００２】
洗剤製品中の界面活性剤は、一般に、洗っている間に有意な量の泡を作る。その後のすすぎ工程の間に泡及び過剰な界面活性剤は、汚れ及び他の屑と共にすすぎ落とされる。
【０００３】
泡立ちプロファイルは、消費者の体験には重要であり、洗い及びすすぎサイクル中の適切な泡形成、保持及び消失量及び速度を消費者は洗浄性能の肝要な基準と考える。
【０００４】
最初は、特に、使用者が洗うことに直接関わって洗剤組成物によって発生した泡を感じ、泡に触れる手洗い過程の間は、大量の泡が望ましい。洗っている間の多量の泡を消費者は洗浄の主要かつ最も望ましい合図とみなす。その大量の泡が使用者に物品（例えば布地又は食器）を洗浄するために働く十分な界面活性剤が存在することを示すからである。
【０００５】
矛盾するようだが、大量の泡は、洗浄過程の洗いサイクル中には望ましいが、それにもかかわらず、すすぎサイクル中には望ましくない。大量の泡がすすぎサイクル中になお存在すると、消費者は、そのことから直ちに、界面活性剤が物品上にまだ残っている可能性があると、また物品はまだ「きれい」でないと推測する。結果として、消費者は、泡が完全に消えるまで何回もすすぐ必要性を感じることになる。場合によっては、消費者が満足するまでそのような泡を除去するためにすすぎに３〜６回の間、かかることもある。これは、水のより大きな消費につながる。布地又は食器を手洗いする習慣が機械洗いより一般的であるインド及び中国などの国では、通常、１年に１世帯当たり約５〜１０トンの水が消費される。水は、特に手洗いを行っている国では、限られた資源であることが多いで、何回もすすぐことによって消費される過多な水量は、可能性のある他の使用、例えば灌漑、飲用、入浴などに利用できる水の量を減少させる。
【０００６】
しかし、より少ない回数のすすぎで界面活性剤を十分に除去できることが判明しており、それ故、何回もすすぐ必要はない。したがって、上記の消費者の認識をうまく克服することができれば、最終的な洗浄結果に悪影響を殆ど又は全く及ぼさずにすすぎ回数を減らすことができる。
【０００７】
泡量の制御及び低減のために様々な泡制御剤又は消泡剤が洗剤又は洗浄組成物に加えられている。例えば、米国特許第８，５３６，１０９号明細書（Ｄｏｗ  Ｃｏｒｎｉｎｇ）には、オルガノポリシロキサン樹脂に分散されたシリコーン消泡剤を含有する泡制御組成物であって、前記シリコーン消泡剤がオルガノポリシロキサン、有機ケイ素樹脂及び疎水性フィラーを含むものである泡制御組成物が開示されており；米国特許第７，５６６，７５０号明細書（Ｗａｃｋｅｒ）には、オルガノポリシロキサン、フィラー粒子及び／又はオルガノポリシロキサン樹脂と、添加される非常に少量の水とを含有する消泡剤であって、泡（foam）又は泡（suds）量の低減により有効である消泡剤組成物が開示されている。
【先行技術文献】
【特許文献】
【０００８】
【特許文献１】米国特許第８，５３６，１０９号
【特許文献２】米国特許第７，５６６，７５０号
【発明の概要】
【発明が解決しようとする課題】
【０００９】
泡を更に低減させることができる改善された泡制御剤又は消泡剤、特に、洗浄過程のすすぎサイクル中に泡を、より有効に抑制して又は消して、それによって、すすぎに必要な水の量を最小にすることができる、好ましくは洗浄すべき物品の「単回すすぎ」を可能にすることができる泡制御剤又は消泡剤が必要とされ続けている。そのような改善された泡制御剤又は消泡剤を含有する洗浄組成物は、コスト削減及び環境保護のために特に望ましい。
【課題を解決するための手段】
【００１０】
本発明は、アルコキシ化ポリアルキレンイミンと、１つ以上のアリール部分を有する有機変性シリコーンと、該有機変性シリコーンへの約０．８〜約１．２５の溶解度指数（下文にて説明する試験方法に従って測定される）を有するシロキサン系希釈剤との組み合わせを含有する洗浄組成物、特に液体洗剤組成物が、すすぎ泡量を低減させることに驚くべき、予想外の相乗効果を示すことを発見した。
【００１１】
１つの態様では、本発明は、以下のものを含有する洗浄組成物に関する：
（ａ）ポリアルキレンイミン骨格と、該ポリアルキレンイミン骨格の窒素原子に結合している少なくとも１つの側鎖とを含み、更に前記ポリアルキレンイミン骨格が約１００〜約１００，０００ダルトンの範囲の平均数平均分子量（ＭＷｎ）を有し、前述の少なくとも１つの側鎖が下記の実験式（Ｉ）を有する、アルコキシ化ポリアルキレンイミン：
−（ＥＯ）ｂ（ＰＯ）ｃ−Ｒ            （Ｉ）
（このとき、ＥＯは、エチレンオキシドであり、ｂは、約３〜約６０の範囲の重量平均値を有し、ＰＯは、プロピレンオキシドであり、ｃは、０〜約６０の範囲の重量平均値を有し、Ｒは、水素、Ｃ１〜Ｃ４アルキル及びそれらの組み合わせからなる群から選択される）；
（ｂ）５員〜９員芳香族環を各々が含む１つ以上のアリール部分を含み、更に前記芳香族環が、置換されていても又は非置換であってもよく、ヘテロ原子のものであっても又はホモ原子のものであってもよく、単環式であっても又は多環式であってもよい、有機変性シリコーン；及び
（ｃ）前記有機変性シリコーンへの約０．８〜約１．２５の溶解度指数を有するシロキサン系希釈剤。
【００１２】
本発明の好ましい実施形態において、洗浄組成物は、疎水変性シリカ、シリコーン樹脂、及び場合により乳化剤を更に含有する。
【００１３】
本発明の洗浄組成物は、アニオン性界面活性剤、非イオン性界面活性剤、カチオン性界面活性剤、両性界面活性剤、双性イオン性界面活性剤、及びそれらの組み合わせからなる群から選択される１種以上の界面活性剤を更に含有することもある。本発明の洗浄組成物は、好ましくは、布地ケア製品及びホームケア製品、好ましくは液体洗剤製品、より好ましくは液体洗濯又は食器用洗剤製品を形成する。
【００１４】
別の態様では、本発明は、以下のものを含有する液体洗剤組成物に関する：
（ａ）ポリアルキレンイミン骨格と、該ポリアルキレンイミン骨格の窒素原子に結合している少なくとも１つの側鎖とを含み、更に前記ポリアルキレンイミン骨格が約２００〜約１０００ダルトンの範囲の平均数平均分子量（ＭＷｎ）を有し、更に前記少なくとも１つの側鎖が下記の実験式（Ｉ）を有する、１重量％〜５重量％の少なくとも１つのアルコキシ化ポリアルキレンイミン：−（ＥＯ）ｂ（ＰＯ）ｃ−Ｒ（Ｉ）（ＥＯがエチレンオキシドであり、ｂが約２０〜約３０の範囲の重量平均値を有し、ＰＯがプロピレンオキシドであり、ｃが１０〜約３０の範囲の重量平均値を有し、及びＲが水素であることを与件とする）；
（ｂ）２−フェニルプロピル部分を含有するシロキサン単位約１０ｍｏｌ％〜約４０ｍｏｌ％及びＣ６〜Ｃ１０アルキル部分を含有するシロキサン単位約３ｍｏｌ％〜約１０ｍｏｌ％を含む、約０．０２重量％〜約０．５重量％の有機変性シリコーン；
（ｃ）前述の有機変性シリコーンへの約０．８５〜約１の溶解度指数を有する、約０．０２重量％〜約０．５重量％のシロキサン系希釈剤；
（ｄ）約０．００２重量％〜約０．０５重量％の疎水変性シリカ；
（ｅ）約０．００２重量％〜約０．０５重量％のシリコーン樹脂；
（ｆ）約５重量％〜約３０重量％のアニオン性界面活性剤；
（ｇ）場合により、約０．５重量％〜２０重量％の両性界面活性剤及び／又は双性イオン性界面活性剤；
（ｈ）場合により、約０．１重量％〜約１０重量％の非イオン性界面活性剤；及び
（ｉ）水。
【００１５】
本発明の更に別の態様は、最適化されたすすぎ泡立ちプロファイルを達成するように布地又は食器を洗うための、好ましくは布地又は食器を手洗いするための、上文に記載の液体洗剤組成物の使用に関する。
【００１６】
本発明のこれら及び他の特徴は、当業者には、以下の詳細な説明を添付の特許請求の範囲と併せて再考することにより明らかになるであろう。
【発明を実施するための形態】
【００１７】
定義
本願で用いる場合、請求項で用いるときの冠詞「ａ」及び「ａｎ」は、請求事項又は記載事項の１つ以上を意味すると解される。
【００１８】
本明細書で用いる場合、用語「含むこと（comprising）」、「含む（comprise）」、「含む（include）」、「含む（includes）」及び「含むこと（including）」は、非限定的であることを意図したものである。
【００１９】
本明細書で用いる場合、用語「〜を実質的に含まない」又は「実質的に〜不含である」は、示されている材料が、約５重量％以下、好ましくは約２％以下、より好ましくは約１重量％以下の量で存在することを意味する。
【００２０】
本明細書で用いる場合、用語「〜を本質的に含まない」又は「本質的に〜不含である」は、示されている材料が、最低限、組成物に意図的に添加されないこと又は、好ましくは、分析により検出可能なレベルでそのような組成物中に存在しないことを意味する。これは、示されている材料が、組成物に意図的に添加される材料の１つ以上に対する不純物としてしか存在しない当該組成物を含み得る。
【００２１】
本明細書で用いる場合、用語「固体」は、顆粒、粉末、バー及び錠剤の製品形態を含む。
【００２２】
本明細書で用いる場合、用語「流体」は、液体、ゲル、ペースト及び気体の製品形態を含む。
【００２３】
本明細書で用いる場合、用語「液体」は、２５℃及び２０秒−１の剪断断速度で約１〜約２０００ｍＰａ・ｓの粘度を有する液体を有する流体を指す。いくつかの実施形態において、液体の粘度は、２５℃及び２０秒−１の剪断断速度で約２００〜約１０００ｍＰａ・ｓの範囲であり得る。いくつかの実施形態において、液体の粘度は、２５℃及び２０秒−１の剪断断速度で約２００〜約５００ｍＰａ・ｓの範囲であり得る。
【００２４】
本明細書における全ての温度は、別段の指示がない限り、摂氏度（℃）でのものである。別段の指定がない限り、本明細書における全ての測定は、２５℃、大気圧下で行われる。
【００２５】
本明細書で用いる場合、語句「洗剤組成物」、「洗浄組成物」又は「洗剤又は洗浄組成物」は、汚れた物質を洗浄するために設計された組成物及び配合剤を含む。そのような組成物としては、洗濯洗剤組成物、柔軟仕上げ組成物、布地強化組成物、布地消臭組成物、予洗い用洗濯洗剤、洗濯前処理剤、洗濯用添加剤、スプレー製品、ドライクリーニング剤又は組成物、洗濯すすぎ用添加剤、洗い用添加剤、すすぎ後布地トリートメント剤、アイロンがけ補助剤、食器洗い用組成物、硬質面洗浄組成物、単位用量配合剤、遅延送達配合剤、多孔性基材又は不織シート上又は中に含有されている洗剤、及び本明細書の教示にかんがみて当業者には明白であり得る他の好適な形態が挙げられるが、それらに限定されない。そのような組成物は、洗浄前処理剤、洗浄後処理剤として使用されることもあり、又は洗浄過程のすすぎ若しくは洗いサイクル中に添加されることもある。洗浄組成物は、液体、粉末、単相若しくは多相単位用量若しくはパウチ形態（例えば、例えばポリビニルアルコール（ＰＶＡ）若しくはそのコポリマーなどの水溶性ポリマーによって形成された、単一区画若しくは多区画水溶性パウチに収容されている液体洗剤組成物）、錠剤、ゲル、ペースト、バー又はフレークから選択される形態を有し得る。本発明の好ましい実施形態において、本発明の洗剤又は洗浄組成物は、布地又は食器の手洗い又は機械洗い用に設計されている、洗濯又は食器用液体洗剤組成物である。より好ましくは、本発明の洗剤又は洗浄組成物は、手洗いを目的として設計された液体洗濯又は食器用洗剤組成物である。
【００２６】
本明細書で用いる場合、「泡」は、比較的少ない量の液体中の泡の非平衡分散体を示す。「泡（suds）」、「泡（foam）」及び「石鹸の泡（lather）」のような用語は、本発明の意義の範囲内で同義に用いることができる。
【００２７】
本明細書で用いる場合、「泡立ちプロファイル」は、洗い及び／又はすすぎサイクル中の泡の性質に関係する洗剤組成物の特性を指す。洗剤組成物の泡立ちプロファイルとしては、洗液に溶解したときの泡の発生速度、洗いサイクル中の泡の量及び保持力、並びにすすぎサイクル中の泡の量及び消失が挙げられるが、これらに限定されない。
【００２８】
別段の指定がない限り、本明細書で用いる場合の用語「分子量」は、ポリマー組成物中のポリマー鎖の重量平均分子量（ＭＷｗ）を指し、これは、次の等式を用いて計算され得る：
ＭＷｗ＝（ΣｉＮｉＭｉ２）／（ΣｉＮｉＭｉ）
（式中、Ｎｉは、分子量Ｍｉを有する分子の数である）。
【００２９】
本明細書で用いる場合の用語「平均数平均分子量（ＭＷｎ）」は、次の等式を用いて計算される：
ＭＷｎ＝（ΣｉＮｉＭｉ）／（ΣｉＮｉ）
（式中、Ｎｉは、分子量Ｍｉを有する分子の数である）。
【００３０】
本明細書で用いる場合、「ｍｏｌ％」は、ポリマー中の特定のモノマー構造単位の相対モル百分率を指す。本発明の意義の範囲内で、カチオン性ポリマー中に存在する全てのモノマー構造単位の相対モル百分率が当然合計１００ｍｏｌ％になるであろうということは理解される。
【００３１】
本明細書で用いる場合、用語「置換されている」は、本明細書では、ヒドロカルビル部分、とりわけ芳香族環、アルキル鎖などの１個の水素原子、２個の水素原子又は３個の水素原子を置き換えることができる部分又は単位を包むことと定義する。ある部分が「置換されている」と記載されているとき、いずれの数の水素原子が置き換えられていてもよい。例えば、単一の水素原子の置き換えを要する置換されている単位は、ハロゲン、ヒドロキシルなどを含む。２個の水素原子の置き換えは、カルボニル、オキシイミノなどを含む。隣接炭素原子からの２個の水素原子の置き換えは、エポキシなどを含む。３個の水素原子の置き替えは、シアノなどを含む。エポキシ単位は、隣接炭素上の水素原子の置き換えを要する置換されている単位の一例である。また、置換されているは、２個の隣接する炭素上の水素原子を置き換えて新たな部分又は単位を形成していることも含むことができる。
【００３２】
別段の指定がない限り、本明細書で用いる場合の用語「アルキル」は、直鎖状であっても又は分岐していてもよく、置換されていても又は非置換であってもよい、Ｃ１〜Ｃ１０ヒドロカルビルを意味する。
【００３３】
本明細書で用いる場合、用語「ヒドロカルビル」は、炭素原子及び水素原子からなる、任意の有機単位又は部分と定義する。「ヒドロカルビル」の定義には、芳香族（アリール）及び非芳香族炭素環が入る。更に、複素環が用語ヒドロカルビルの範囲内に含まれる。用語「複素環」は、芳香族（ヘテロアリール）環と非芳香族環の両方を含む。
【００３４】
本発明の全ての実施形態において、特に別段の記述がない限り、全ての百分率は、全組成物に対する重量に百分率である。特に別段の記述がない限り、
全ての比は重量比である。本明細書において開示する寸法及び値を、列挙されているまさにその数値に厳密に限られると解するべきではない。むしろ、別段の指定がない限り、そのような寸法の各々は、記載されている値と、その値の周辺の機能的に等価の範囲の両方を意味することを意図したものである。例えば、「４０ｍｍ」と開示する寸法は、「約４０ｍｍ」を意味することを意図したものである。
【００３５】
本願に記載し、本願にて請求する本出願人の発明のパラメータのそれぞれの値を決定するために、本願の試験方法の節において開示する試験方法を用いなければならないことは、理解される。
【００３６】
アルコキシ化ポリアルキレンイミン
本発明の洗浄組成物は、少なくとも１つ、好ましくは２つ以上のアルコキシ化ポリアルキレンイミンを含有する。
【００３７】
本発明のアルコキシ化ポリアルキレンイミンは、式（１）、（２）、（３）及び（４）の繰り返し単位を含有するように表されることがあり、
【００３８】
【化１】
0006656158.tif 000002
これらの式中、
＃は、各場合、式（１）、（２）、（３）又は（４）の２つの隣接する繰り返し単位の窒素原子とＡ１基の自由結合位置との間の結合の半分を示し、
Ａ１は、直鎖状又は分枝Ｃ２〜Ｃ６アルキレンから独立して選択され、
Ｅは、式（５）のアルキレンオキシ（alkylenoxy）単位から独立して選択され
【００３９】
【化２】
0006656158.tif 000003
（この式中、
＊は、各場合、式（１）、（２）又は（４）の繰り返し単位の窒素原子への結合を示し、
Ａ２は、各場合、１，２−プロピレン、１，２−ブチレン及び１，２−イソブチレンから独立して選択され、
Ｒは、各場合、独立して、水素及びＣ１〜Ｃ４−アルキルから選択され、
ｍは、０〜約２の範囲の平均値を有し、
ｎは、約２０〜約５０の範囲の平均値を有し、及び
ｐは、約１０〜約５０の有理数である）；
個々のアルコキシ化ポリアルキレンイミンは、式（１）の繰り返し単位１個と、式（２）の繰り返し単位ｘ個と、式（３）の繰り返し単位ｙ個と、式（４）の繰り返し単位ｙ＋１個とからなり、ｘ及びｙは、各場合、０〜約１５０の範囲の値を有し；及び該ポリマーは、０〜約５０％の四級化度を有する。アルコキシ化ポリアルキレンイミンに関するより多くの情報については、米国特許第８，０９７，５７９号明細書及び国際公開第２００６／１０８８５６Ａ１号パンフレットを何卒参照されたい。
【００４０】
簡単に表現すると、本発明のアルコキシ化ポリアルキレンイミンは、ポリアルキレンイミン骨格と、該ポリアルキレンイミン骨格の窒素原子に結合している少なくとも１つの側鎖とを有すると考えることができる。
【００４１】
ポリアルキレンイミン骨格は、上文に記載の、しかしアルキレンオキシ（alkylenoxy）単位Ｅのない、式（１）、（２）、（３）及び（４）の繰り返し単位によって形成される。本発明のアルコキシ化ポリアルキレンイミンのポリアルキレンイミン骨格は、約１００〜約１００，０００ダルトン、好ましくは約１００〜約５０００ダルトン、より好ましくは約２００〜約１０００ダルトンの範囲の平均数平均分子量（ＭＷｎ）を有する。
【００４２】
上文に記載のアルキレンオキシ（alkylenoxy）単位Ｅによって形成される、アルコキシ化ポリアルキレンイミンの少なくとも１つの側鎖は、好ましくは、内部ポリエチレンオキシドブロック及び外部ポリプロピレンオキシドブロックを有し、これを下記実験式によって表すことができる：
−（ＥＯ）ｂ（ＰＯ）ｃ−Ｒ          （Ｉ）
（このとき、ＥＯは、エチレンオキシドであり、ｂは、約３〜約６０の範囲の重量平均値を有し、ＰＯは、プロピレンオキシドであり、ｃは、０〜約６０の範囲の重量平均値を有し、Ｒは、水素、Ｃ１〜Ｃ４アルキル及びそれらの組み合わせからなる群から選択される）。
【００４３】
本発明の好ましい実施形態において、洗浄組成物は、約１００〜約５０００ダルトン、好ましくは約２００〜約１０００ダルトンの範囲のＭｗｎを有するポリアルキレンイミン骨格を有する第一のアルコキシ化ポリアルキレンイミンを含有し、ｂは、約１０〜約５０、好ましくは約１５〜約４０、より好ましくは約２０〜約３０の範囲であり、ｃは、約１〜約５０、好ましくは約５〜約４０、より好ましくは約１０〜約３０の範囲である。前記第一のアルコキシ化ポリアルキレンイミンは、（ＰＥＩ）２００〜１０００（ＥＯ）２０〜３０（ＰＯ）１０〜３０の実験式によって表すことができる。
【００４４】
必然的にではないが、好ましくは、洗浄組成物は、約１００〜約５０００ダルトン、好ましくは約２００〜約１０００ダルトンの範囲のＭｗｎを有するポリアルキレンイミン骨格を有する第二のアルコキシ化ポリアルキレンイミンを含有することがあり、ｂは、約５〜約４０、好ましくは約１０〜約３０、より好ましくは約１５〜約２５の範囲であり、ｃは、０である。前記第二のアルコキシ化ポリアルキレンイミンは、（ＰＥＩ）２００〜１０００（ＥＯ）１５〜２５の実験式によって表すことができる。そのような第一のアルコキシ化ポリアルキレンイミンと第二のポリアルキレンイミンとの重量比は、約１：１０〜約１０：１、好ましくは約１：５〜約５：１、より好ましくは約１：２〜約２：１の範囲であり得る。
【００４５】
上記アルコキシ化ポリアルキレンイミン（単数又は複数）は、本発明の洗浄組成物中に、約０．０１重量％〜約２０重量％、好ましくは約０．０５重量％〜約１５重量％、より好ましくは約０．１重量％〜約１０重量％、最も好ましくは約０．５重量％〜約５重量％の範囲の量で存在し得る。本発明の特に好ましい実施形態において、洗浄組成物は、約０．１重量％〜約５重量％の第一のアルコキシ化ポリアルキレンイミン及び０重量％〜約２重量％の第二のアルコキシ化ポリアルキレンイミンを含有する。
【００４６】
アリール部分を含む有機変性シリコーン
本発明の洗浄組成物は、５員〜９員芳香族環を各々が含む１つ以上のアリール部分を含む有機変性シリコーンを更に含有する。そのような芳香族環は、置換されていても又は非置換であってもよく、ヘテロ原子のものであっても又はホモ原子のものであってもよく、単環式であっても又は多環式であってもよい。例えば、芳香族環は、フェニル、フラン、ピロール、チオフェン、イミダゾール、ピロール、オキサゾール、ピリジン、ピラジン、ナフタレン、アントラセン部分、及びそれらの誘導体からなる群から選択することができる。好ましくは、芳香族環は、少なくとも１つの脂肪族基で置換されている。本発明の特に好ましい実施形態において、そのような１つ以上のアリール部分は、アルキルフェニル部分から選択され、より好ましくは、そのような１つ以上のアリール部分は、２−フェニルプロピル部分であり、これは一般にα−メチルスチレン部分とも呼ばれる。
【００４７】
有機変性シリコーンは、１つ以上のＣ２〜Ｃ２０脂肪族部分、好ましくは１つ以上のＣ６〜Ｃ１０アルキル部分を更に含むことがあり、これらの部分は、置換されていても又は非置換であってもよく、ヘテロ原子のものであっても又はホモ原子のものであってもよい。
【００４８】
前記有機変性シリコーンは、次の式（ＩＩ）の単位を含み得る：
Ｒａ（Ｒ１Ｏ）ｂＲ２ｃＳｉＯ（４−ａ−ｂ−ｃ）／２            （ＩＩ）
（式中、
ａ）各Ｒは、独立して、Ｈと、上文に記載のアリール部分であって、少なくとも１つの脂肪族基を有する置換芳香族環を含有し、その脂肪族基によって該有機変性シリコーンのケイ素原子に共有結合しているものであるアリール部分と、場合により置換されており、場合によりヘテロ原子を含む、一価、ＳｉＣ結合脂肪族炭化水素ラジカルとからなる群から選択され、
ｂ）各Ｒ１は、独立して、Ｈと、場合により置換されており、場合によりヘテロ原子を含む、一価、脂肪族炭化水素ラジカルとからなる群から選択され、
ｃ）各Ｒ２は、独立して、Ｈと、上文に記載のアリール部分であって、少なくとも１つの脂肪族基を有する置換芳香族環を含有し、その脂肪族基によって該有機変性シリコーンのケイ素原子に共有結合しているものであるアリール部分と、上文に記載のアリール部分であって、置換芳香族環を含有し、炭素環原子によって該有機変性シリコーンのケイ素原子に共有結合しているものであるアリール部分と、場合により置換されており、場合によりヘテロ原子を含む、一価、ＳｉＣ結合脂肪族炭化水素ラジカルとからなる群から選択され、
ｄ）表示ａは、０、１、２又は３であり、
ｅ）表示ｂは、０、１、２又は３であり、及び
ｆ）表示ｃは、０、１、２又は３である）。
【００４９】
ａ＋ｂ＋ｃの合計は、通常は３以下であり、平均約１．５〜２．４、より好ましくは平均約１．８〜約２．３、最も好ましくは約１．９〜約２．１である。有機変性シリコーンは、約５〜約１０，０００、好ましくは約１０〜約５，０００、より好ましくは約５０〜約１，０００、最も好ましくは約１００〜約５００の、式（Ｉ）のシロキサン単位を含み得る。
【００５０】
本発明の好ましい実施形態において、有機変性シリコーンは、いずれのフェニルプロピル部分も、及びいずれのＣ６〜Ｃ１０アルキル部分も、同じケイ素原子に結合していないことを条件として、２−フェニルプロピル部分が結合しているシロキサン単位約１ｍｏｌ％〜約７５ｍｏｌ％及びＣ６〜Ｃ１０アルキル部分が結合しているシロキサン単位約１ｍｏｌ％〜約２０ｍｏｌ％をもたらすために好ましいアリール部分を含む十分な数のＲ及びＲ２を含む。より好ましくは、有機変性シリコーンは、２−フェニルプロピル部分が結合しているシロキサン単位約５ｍｏｌ％〜約５０ｍｏｌ％又は約１０ｍｏｌ％〜約４０ｍｏｌ％、及びＣ６〜Ｃ１０アルキル部分が結合しているシロキサン単位約２ｍｏｌ％〜約１５ｍｏｌ％又は約３ｍｏｌ％〜約１０ｍｏｌ％を含有する。最も好ましくは、有機変性シリコーンは、約１５ｍｏｌ％〜約２５ｍｏｌ％の２−フェニルプロピル部分及び約４ｍｏｌ％〜約８ｍｏｌ％のＣ６〜Ｃ１０アルキル部分を含有する。有機変性シリコーン中の、置換されている又は非置換である全てのシロキサン単位の総ｍｏｌ％が合計１００ｍｏｌ％になることに何卒留意されたい。
【００５１】
本発明の有機変性シリコーンの重量平均分子量（ＭＷｗ）は、約１，０００〜約５００，０００、好ましくは約５，０００〜約２００，０００、より好ましくは約１０，０００〜約１５０，０００、最も好ましくは約５０，０００〜約１００，０００ダルトンの範囲であり得る。本発明の有機変性シリコーンの数平均分子量は、約１，０００〜約５００，０００、好ましくは約２，０００〜約２００，０００、より好ましくは約５，０００〜約１００，０００、最も好ましくは約１０，０００〜約５０，０００ダルトンの範囲であり得る。
【００５２】
有機変性シリコーンは、本発明の洗浄組成物中に、約０．００１重量％〜約１０重量％、好ましくは約０．００５重量％〜約５重量％、より好ましくは約０．０１重量％〜約２重量％、最も好ましくは約０．０２重量％〜約０．５重量％の範囲の量で存在することができる。
【００５３】
シロキサン系希釈剤
本発明の洗浄組成物は、上記有機変性シリコーンへの約０．８〜約１．２５の（下文にて説明する溶解度指数試験に従って計算される）溶解度指数を特徴とするシロキサン系希釈剤を更に含有する。好ましくは、シロキサン系希釈剤は、約０．８５〜約１．２、より好ましくは約０．９〜約１．１、最も好ましくは約０．９５〜約１．０の溶解度指数を特徴とする。
【００５４】
本発明の必然的ではないが好ましい実施形態において、シロキサン系希釈剤は、２０秒−１の剪断速度及び２５℃で測定して、約０．５ｍｍ２／秒〜約１０，０００ｍｍ２／秒（０．５ｃＳｔ〜約１０，０００ｃＳｔ）、好ましくは約１ｍｍ２／秒〜約１，０００ｍｍ２／秒（１ｃＳｔ〜約１，０００ｃＳｔ）、より好ましくは約２ｍｍ２／秒〜約１００ｍｍ２／秒（約２ｃＳｔ〜約１００ｃＳｔ）、最も好ましくは約５ｍｍ２／秒〜約１５ｍｍ２／秒（５ｃＳｔ〜約１５ｃＳｔ）の範囲の粘度を有する、１つ以上のポリジメチルシロキサン（ＰＤＭＳ）を含有する。ＰＤＭＳは、直鎖状であっても、分岐していても、環状であっても、グラフトされていても、又は架橋若しくは環状構造であってもよいが、直鎖状ＰＤＭＳが特に好ましい。
【００５５】
シロキサン系希釈剤は、本発明の洗浄組成物中に、約０．００１重量％〜約１０重量％、好ましくは約０．００２重量％〜約５重量％、より好ましくは約０．０１重量％〜約２重量％、最も好ましくは約０．０２重量％〜約０．５重量％の範囲の量で存在することができる。
【００５６】
本発明の特に好ましい実施形態において、シロキサン系希釈剤は、異なる粘度の２種以上のＰＤＭＳの組み合わせを含有することがある。例えば、シロキサン系希釈剤は、２０秒−１の剪断速度及び２５℃で測定したとき、約８ｍｍ２／秒〜約１２ｍｍ２／秒（８ｃＳｔ〜約１２ｃＳｔ）の、より高い粘度を有する、第一のポリジメチルシロキサンと、約５ｍｍ２／秒〜約１０ｍｍ２／秒（約５ｃＳｔ〜約１０ｃＳｔ）の、より低い粘度を有する、第二のポリジメチルシロキサンとを含むことがある。具体的には、ＰＤＭＳは、洗剤又は洗浄組成物の総重量に対して約０．００１重量％〜約１０重量％、好ましくは約０．００２重量％〜約２．５重量％、より好ましくは約０．０１重量％〜約１重量％、最も好ましくは約０．０２重量％〜約０．２５重量％の範囲の量で存在し、及び第二のポリジメチルシロキサンは、洗浄組成物の総重量に対して０重量％〜約１０重量％、好ましくは約０．００２重量％〜約２．５重量％、より好ましくは約０．０１重量％〜約１重量％、最も好ましくは約０．０２重量％〜約０．２５重量％の範囲の量で存在する。より好ましくは、第一のＰＤＭＳの第二のＰＤＭＳに対する重量比は、約１：１より大きい。
【００５７】
疎水性シリカ
本発明の必然的ではないが好ましい実施形態において、洗浄組成物は、疎水変性シリカ粒子を更に含む。そのような疎水変性シリカ粒子は、（１）ＢＥＴ測定法によって測定して約５０ｍ２／ｇ〜約８００ｍ２／ｇ、好ましくは約８０〜約２００ｍ２／ｇの表面積、及び（２）約０．５〜約５０マイクロメートル、好ましくは約１〜約４０マイクロメートル、より好ましくは約２〜約３０マイクロメートル、最も好ましくは約５〜約２５マイクロメートルの範囲の平均粒径を有し得る。
【００５８】
シリカ粒子は、通常は疎水性の性質であるため、疎水変性シリカ粒子は、疎水化剤でのシリカ粒子の表面処理によって形成される。シリカ粒子は、好ましくは、加熱によって（例えばフュームドシリカ）、又は沈降によって、又はゾルゲル法によって調製されるが、沈降シリカ粒子が特に好ましい。好適な疎水化剤としては、メチル置換有機ケイ素材料、脂肪酸、ポリジメチルシロキサン、シラノール又はケイ素結合アルコキシ基で末端封鎖されているジメチルシロキサンポリマー、ヘキサメチルジシラザン、ヘキサメチルジシロキサン、及び有機ケイ素樹脂が挙げられるが、これらに限定されない。シリカ粒子の疎水化は、通常、少なくとも８０℃の温度で行われる。市販されている疎水性シリカ粒子としては、Ｄｅｇｕｓｓａ  ＡＧ（ドイツ）から商品名Ｓｉｐｅｒｎａｔ（登録商標）Ｄ１０又はＳｉｐｅｒｎａｔ（登録商標）Ｄ１３で販売されているものが挙げられる。
【００５９】
疎水性シリカは、本発明の洗剤又は洗浄組成物中に、約０．０００１重量％〜約１重量％、好ましくは約０．０００４重量％〜約０．５重量％、より好ましくは約０．００１重量％〜約０．１５重量％、最も好ましくは約０．００２重量％〜約０．０５重量％の範囲の量で存在することができる。
【００６０】
シリコーン樹脂
必然的にではないが好ましくは、本発明の洗浄組成物は、シリコーン樹脂を更に含むことがある。シリコーン樹脂は、下記式（ＩＩＩ）の単位を含み得る：
Ｒ３ｄ（Ｒ４Ｏ）ｅＳｉＯ（４−ｄ−ｅ）／２            （ＩＩＩ）
（式中、
ａ）各Ｒ３は、独立して、Ｈと、場合により置換されており、場合によりヘテロ原子を含む、一価、ＳｉＣ結合脂肪族炭化水素ラジカルと、脂肪族基によってシリコーン樹脂のケイ素原子に共有結合している芳香族ラジカルとからなる群から選択され、
ｂ）各Ｒ４は、独立して、Ｈと、場合により置換されており、場合によりヘテロ原子を含む、一価脂肪族炭化水素ラジカルとからなる群から選択され、
ｃ）表示ｄは、０、１、２又は３であり、及び
ｄ）表示ｅは、０、１、２又は３である）。
【００６１】
ｄ＋ｅの合計は、通常、３以下、好ましくは約３０％未満であり、又はより好ましくは、シリコーン樹脂中の式（ＩＩＩ）の全てのシロキサン単位の約５％未満がｄ＋ｅの合計＝２を有する。
【００６２】
より好ましくは、ｄの値は、３又は０である。このように、本発明のシリコーン樹脂は、Ｒ３３ＳｉＯ１／２（Ｍ）単位及びＳｉＯ４／２（Ｑ）単位から本質的に成り、このときのＲ３は上文の中で定義した通りである。このような樹脂は、通常、ＭＱ樹脂と呼ばれる。Ｍ単位のＱ単位に対するモル比は、好ましくは約０．５〜約２．０、より好ましくは約０．６〜約１．０である。これらのＭＱ樹脂は、最大１０重量％のヒドロキシル基又はアルコキシ基も含有し得る。ＭＱ樹脂は室温で固体であるほうが好ましいが、約１．２以上のＭ／Ｑ比を有する液体ＭＱ樹脂もうまく使用することができる。
【００６３】
本発明のシリコーン樹脂は、好ましくは、不揮発性溶剤を含有する溶液として供給される。好適な不揮発性溶剤としては、様々な油、アルコール、及びカルボン酸のエステル、例えば脂肪酸エステルが挙げられる。好ましい溶剤としては、カルボン酸のエステル、例えば、フタル酸ジオクチル、コハク酸ジエチル、カプロン酸メチル、ペラルゴン酸ブチル（butyl perlargonate）、ステアリン酸エチル、ステアリン酸２−エチルヘキシル、ラウリン酸ドデシル、メリシン酸メチルなどが挙げられる。
【００６４】
有機変性シリコーン、シロキサン系希釈剤、疎水変性シリカ、シリコーン樹脂及び溶剤に関するより多くの詳細については、米国特許出願公開第２０１１／０２０９２９１号明細書、米国特許第７，５６６，７５０号明細書及び米国特許第８，５３６，１０９号明細書を何卒参照されたい。
【００６５】
シリコーン樹脂は、本発明の洗浄組成物中に、約０．０００１重量％〜約１重量％、好ましくは約０．０００２重量％〜約０．５重量％、より好ましくは約０．００１重量％〜約０．１重量％、最も好ましくは約０．００２重量％〜約０．０５重量％の範囲の量で存在することができる。
【００６６】
シリコーン樹脂用の溶剤
必然的にではないが好ましくは、本発明の洗浄組成物は、シリコーン樹脂用の溶剤を更に含むことがある。好適な乳化剤は、不揮発性溶剤であり、これには、アルコール、例えばドデカノール、２−ブチル−オクタノールなど、又は脂肪酸エステル、例えばステアリン酸オクチル、ステアリン酸２−エチルヘキシルなどが含まれる。特に好ましい溶剤は、ステアリン酸２−エチルヘキシルである。
【００６７】
溶剤は、本発明の洗浄組成物中に、０重量％〜約０．５重量％、好ましくは約０．０００２重量％〜約０．２重量％、より好ましくは約０．００１重量％〜約０．１重量％、最も好ましくは約０．００２重量％〜約０．０５重量％の範囲の量で存在することができる。
【００６８】
洗浄組成物
本発明の洗浄組成物は、改善されたすすぎ泡プロファイルを有する生成物の恩恵を受け得るパーソナルケアクリーナー、例えば、シャンプーを石鹸をはじめとする健康及び美容領域において使用されるものであることができる。別の態様において、洗浄組成物は、様々な硬質面、例えば、硬質木材、タイル、セラミック、プラスチック、皮革、金属、ガラスなどの洗浄に好適である。洗浄組成物は、食器洗いに、自動機械食器洗い用洗剤として又は食器手洗い用洗剤として使用するのにも好適である。更に、本発明の洗浄組成物は、布地の自動機械洗い若しくは手洗いを含む布地洗浄用途に、又は洗浄助剤、例えば、漂白剤、すすぎ補助剤、添加剤若しくは前処理タイプのものなどに好適である。
【００６９】
洗浄組成物は、任意の形態、すなわち、液体の形態、固体、例えば粉末、顆粒、凝集塊、ペースト、錠剤、パウチ、バー、ゲルの形態、エマルジョンの形態、二区画又は多区画の容器又はパウチに供給されたタイプの形態、スプレー又は泡洗剤の形態、ウェットタイプの拭き取り繊維（すなわち、不織素材と併用での洗浄組成物）の形態、消費者によって水で有効化されるドライタイプの拭き取り繊維（すなわち、不織素材と併用での洗浄組成物）の形態、及び他の均質又は多相消費者洗浄製品形態であることができる。
【００７０】
洗濯組成物は、好ましくは液体洗濯又は食器用洗剤であり、完全配合選択又は食器用洗剤製品であることができる。カプセル化された及び／又は単位用量の製品に含有される液体組成物が含まれ、２つ以上の別個の、しかし一緒に施すことができる部分を含む組成物も含まれる。より好ましくは、液体洗剤組成物は、改善された泡の恩恵又は優れた泡立ちプロファイルが消費者に最もはっきりとわかる手洗い用に設計された液体洗濯又は食器用洗剤組成物である。液体洗濯又は食器用洗剤組成物は、好ましくは水を水性担体として含有し、担体（単数又は複数）として水のみ又は水と有機溶剤（単数若しくは複数）の混合物を含有することができる。好適な有機溶剤は、直鎖状又は分岐低級Ｃ１〜Ｃ８アルコール、ジオール、グリセロール又はグリコール、低級アミン溶剤、例えばＣ１〜Ｃ４アルカノールアミン、及びそれらの混合物である。例示的有機溶剤としては、１，２−プロパンジオール、エタノール、グリセロール、モノエタノールアミン及びトリエタノールアミンが挙げられる。担体は、通常、液体組成物中に、該液体組成物の総重量に対して約０．１％〜約９８％、好ましくは約１０％〜約９５％、より好ましくは約２５％〜約７５％の範囲のレベルで存在する。いくつの実施形態において、水は、担体の約８５〜約１００重量％である。他の実施形態において、水は不在であり、組成物は無水である。本発明によってもたらされる非常に好ましい組成物は、透明な等方性の液体である。
【００７１】
本発明の液体洗剤組成物は、約１〜約２０００センチポワズ（１〜２０００ｍＰａ・秒）、又は約２００〜約８００センチポワズ（２００〜８００ｍＰａ・秒）の粘度を有する。この粘度は、ブルックスフィールド粘度計、２番スピンドルを使用して６０ＲＰＭ／秒で判定することでき、２５℃で測定される。
【００７２】
上文に記載の成分に加えて、本発明の洗浄組成物は、１種以上の界面活性剤を、該組成物の総重量に対して約１％〜約８０％、好ましくは約１％〜約５０％、より好ましくは約５％〜約３０％の範囲の量で含むことがある。用いられる洗浄性界面活性剤は、アニオン性、非イオン性、双性イオン性、両性若しくはカチオン性タイプのものであることができ、又はこれらのタイプの相容性混合物を含むことができる。
【００７３】
アニオン性界面活性剤が好ましい。有用なアニオン性界面活性剤は、それら自体が、いくつか異なるタイプのものであることができる。例えば、石鹸以外の合成アニオン性界面活性剤は、ここでの使用に特に好適であり、それらには、約１０〜約２０個の炭素原子を含有するアルキル基（この用語「アルキル」にはアシル基のアルキル部分が含まれる）とスルホン酸又は硫酸エステル基とを分子構造内に有する有機イオウ反応生成物の水溶性塩、好ましくはアルカリ金属及びアンモニウム塩が含まれる。この群の合成アニオン性界面活性剤の例としては、以下のものが挙げられるが、これらに限定されない：ａ）直鎖状又は分岐炭素鎖を有するアルキル硫酸ナトリウム、カリウム及びアンモニウム、特に、高級アルコール（Ｃ１０〜Ｃ２０炭素原子）の硫酸化によって得られるもの、例えば、獣脂又はヤシ油のグリセリドの還元によって生成されるもの；ｂ）直鎖状又は分岐炭素鎖を有するアルキルエトキシ硫酸ナトリウム、カリウム及びアンモニウム、特に、アルキル基が約１０〜約２０個、好ましくは約１２〜約１８個の炭素原子を含有し、エトキシ化された鎖が、平均で、約０．１〜約５、好ましくは約０．３〜約４、より好ましくは約０．５〜約３のエトキシ化度を有するもの；ｃ）アルキル基が、約１０〜約２０個の炭素原子を直鎖状又は分岐炭素鎖形状、好ましくは直鎖状炭素鎖形状で含有する、アルキルベンゼンスルホン酸ナトリウム及びカリウム；ｄ）アルキル基が、約１０〜約２０個の炭素原子を直鎖状又は分岐炭素鎖形状で含有する、アルキルスルホン酸ナトリウム、カリウム及びアンモニウム；ｅ）アルキル基が、約１０〜約２０個の炭素原子を直鎖状又は分岐炭素鎖形状で含有する、アルキルリン酸ナトリウム、カリウム及びアンモニウム；ｆ）アルキル基が、約１０〜約２０個の炭素原子を直鎖状又は分岐炭素鎖形状で含有する、アルキルカルボン酸ナトリウム、カリウム及びアンモニウム、並びにこれらの組み合わせ；ｇ）アルキルエステルスルホン酸ナトリウム、カリウム及びアンモニウム、例えば、式Ｒ−ＣＨ（ＳＯ３Ｍ）−ＣＨ２ＣＯＯＲ’のもの、又はアルキルエステル硫酸ナトリウム、カリウム及びアンモニウム、例えば、式Ｒ−ＣＨ（ＯＳＯ３Ｍ）−ＣＨ２ＣＯＯＲ’のもの（ここで、Ｒは、Ｃ１０〜Ｃ２０、好ましくはＣ１０〜Ｃ１６直鎖状又は分岐アルキルラジカルを表し、Ｒ’は、Ｃ１〜Ｃ６、好ましくはＣ１〜Ｃ３アルキルラジカルを表し、及びＭは、ナトリウム、カリウム又はアンモニウムカチオンを表す）。
【００７４】
本発明の実施に特に好ましいのは、Ｃ１０〜Ｃ２０直鎖状アルキルベンゼンスルホネート、約０．１〜約５（洗剤組成物の泡立ちプロファイルの改善に特に有利である、好ましくは約０．３〜約４及びより好ましくは約０．５〜約３）の範囲のエトキシ化度を有するＣ１０〜Ｃ２０直鎖状又は分岐アルキルエトキシスルフェート、又はそれらの混合物を含有する、アニオン性界面活性剤系である。アニオン性界面活性剤を、本発明の洗浄組成物に、該組成物の総重量に対して１％〜約８０％、より好ましくは約１％〜約５０％、より好ましくは約５％〜約３０％の範囲のレベルで備えさせることができる。
【００７５】
１つの特に好ましい実施形態において、本発明の洗浄組成物は、Ｃ１０〜Ｃ２０直鎖状アルキルベンゼンスルホネート、０．１〜５．０の範囲の平均エトキシ化度を有するＣ１０〜Ｃ２０直鎖状又は分岐アルキルエトキシスルフェート、Ｃ１０〜Ｃ２０直鎖状又は分岐アルキルスルフェート、Ｃ１０〜Ｃ２０直鎖状又は分岐アルキルエステルスルフェート、Ｃ１０〜Ｃ２０直鎖状又は分岐アルキルスルホネート、Ｃ１０〜Ｃ２０直鎖状又は分岐アルキルエステルスルホネート、Ｃ１０〜Ｃ２０直鎖状又は分岐アルキルホスフェート、Ｃ１０〜Ｃ２０直鎖状又は分岐アルキルホスホネート、Ｃ１０〜Ｃ２０直鎖状又は分岐アルキルカルボキシレート、及びそれらの組み合わせからなる群から選択される、約１重量％〜５０重量％の１種以上のアニオン性界面活性剤を含有する、液体洗濯又は食器用洗剤組成物である。より好ましくは、前記１種以上のアニオン性界面活性剤は、Ｃ１０〜Ｃ２０直鎖状アルキルベンゼンスルホネート、約０．５〜約３の範囲のエトキシ化度を有するＣ１０〜Ｃ２０直鎖状又は分岐アルキルエトキシスルフェート、Ｃ１０〜Ｃ２０洗浄又は分岐アルキル基を有するメチルエステルスルホネート、及びそれらの混合物からなる群から選択され、液体洗濯又は食器用洗剤組成物の約５重量％〜約３０重量％の範囲の量で存在する。
【００７６】
高級脂肪酸類の水溶性塩、すなわち「石鹸」もまた、本発明の洗浄組成物において有用なアニオン性界面活性剤である。これには、アルカリ金属石鹸、例えば、約８〜約２４個の炭素原子、好ましくは約１２〜約１８個の炭素原子を含有する高級脂肪酸のナトリウム、カリウム、アンモニウム及びアルキルアンモニウム塩が含まれる。石鹸は、脂肪及び油の直接鹸化によって、又は遊離脂肪酸の中和によって製造することができる。特に有用であるのは、ヤシ油及び獣脂から誘導される脂肪酸の混合物のナトリウム及びカリウム塩、すなわち、ナトリウム又はカリウム獣脂及びココナッツ石鹸である。しかし、本発明の洗浄組成物は、好ましくは、石鹸を比較的低レベルで、例えば、約３重量％以下、より好ましくは約２重量％又は１重量％以下で含有し、最も好ましくは、前記洗浄組成物は石鹸を本質的に含まない。
【００７７】
式Ｒ１（ＯＣ２Ｈ４）ｎＯＨ（式中、Ｒ１は、Ｃ８〜Ｃ１８アルキル基又はアルキルフェニル基であり、ｎは、約１〜約８０である）のものを含む非イオン性界面活性剤も、本発明の界面活性剤系に含めることができる。特に好ましいのは、約１〜約２０の平均アルコキシ化度を有するＣ８〜Ｃ１８アルキルアルコキシ化アルコールである。非イオン性界面活性剤を、洗浄組成物に、約０．０５重量％〜約２０重量％、好ましくは約０．１重量％〜約１０重量％、最も好ましくは約１重量％〜約５重量％の範囲のレベルで備えさせることができる。しかし、本発明の特定の好ましい実施形態において、洗浄組成物は、非イオン性界面活性剤を比較的低レベルで、例えば、約３重量％以下、より好ましくは約２重量％又は１重量％以下で含有し、最も好ましくは、前記洗浄組成物は、非イオン性界面活性剤を本質的に含まない。
【００７８】
ここで有用な他の界面活性剤は、両性界面活性剤、双性イオン性界面活性剤及びカチオン性界面活性剤を含む。このような界面活性剤は、洗濯又は食器用洗剤での使用について周知であり、通常、約０．２重量％、０．５重量％又は１重量％〜約１０重量％、２０重量％又は３０重量％のレベルで存在する。
【００７９】
本発明の必然的ではないが好ましい実施形態において、洗浄組成物は、約０．５重量％〜約２０重量％の１種以上の両性及び／又は双性イオン性界面活性剤を含有する、食器用液体洗剤組成物である。
【００８０】
好ましい両性界面活性剤は、例えば、アルキルジメチルアミンオキシド又はアルキルアミドプロピルジメチルアミンオキシド、より好ましくはアルキルジメチルアミンオキシド、及び特にココジメチルアミノオキシドなどの、アミンオキシド界面活性剤からなる群から選択される。アミンオキシドは、直鎖状アルキル部分を有することもあり、又は中等度に分岐しているアルキル部分を有することもある。典型的な直鎖状アミンオキシドは、式Ｒ１−Ｎ（Ｒ２）（Ｒ３）−Ｏ（式中、Ｒ１は、Ｃ８〜１８アルキルであり、Ｒ２及びＲ３は、メチル、エチル、プロピル、イソプロピル、２−ヒドロキシエチル、２−ヒドロキシプロピル及び３−ヒドロキシプロピルなどの、Ｃ１〜３アルキル及びＣ１〜３ヒドロキシアルキルからなる群から独立して選択される）を特徴とする。本明細書で用いる場合、「中等度に分岐している」は、アミンオキシドが、ｎ１炭素原子を有する１つのアルキル部分を有し、該アルキル部分上にｎ２炭素原子を有する１つのアルキル分枝があることを意味する。アルキル分枝は、アルキル部分の窒素からのα炭素上に位置する。アミノオキシドのこのタイプの分岐は、当技術分野では内部アミンオキシドとしても知られている。ｎ１とｎ２の総計は、約１０〜約２４炭素原子、好ましくは約１２〜約２０、より好ましくは約１０〜約１６である。１つのアルキル部分と１つのアルキル分枝が対称になるように、１つのアルキル部分についての炭素原子数（ｎ１）は、１つのアルキル分枝（ｎ２）とほぼ同じ炭素原子数であるべきである。本明細書で用いる場合、「対称」は、｜ｎ１−ｎ２｜が、本明細書で用いる中等度に分岐しているアミンオキシドの少なくとも５０重量％、より好ましくは少なくとも７５重量％〜１００重量％において炭素原子５以下、好ましくは４以下、最も好ましくは０〜４であることを意味する。特に好ましい両性界面活性剤は、Ｃ１０〜Ｃ１４アルキルジメチルアミンオキシドである。
【００８１】
好ましい双性イオン性界面活性剤は、ベタイン界面活性剤、例えば、アルキルベタイン、アルキルアミドベタイン、アミダゾリニウムベタイン、スルホベタイン（スルタインとも呼ばれる）及びホスホベタインなどである。特に好ましいベタインは、ココアミドプロピルベタインである。
【００８２】
本明細書に記載の液体洗剤組成物は、該組成物の総重量に対して約０．００１％〜約１．０％、好ましくは約０．０５％〜約０．５％、より好ましくは約０．１％〜約０．３％の範囲の量で存在し得る外部構造化剤も含有することがある。好適な外部構造化剤としては、例えば米国特許出願公開第２００７／１６９７４１号及び同第２００５／０２０３２１３号明細書に記載されているものが挙げられる。本発明の実施に特に好ましい外部構造化剤は、トリヒドロキシステアリンとも呼ばれ、商品名Ｔｈｉｘｉｎ（登録商標）で市販されている、硬化ヒマシ油である。
【００８３】
本発明の更に別の好ましい実施形態において、液体洗剤組成物は、約０．１重量％〜約５重量％、好ましくは約０．５重量％〜約３重量％、より好ましくは約１重量％〜約１．５重量％の１つ以上の脂肪酸及び／又はそのアルカリ塩を更に含有する。本発明において使用することができる好適な脂肪酸及び／又は塩としては、Ｃ１０〜Ｃ２２脂肪酸又はそれらのアルカリ塩が挙げられる。そのようなアルカリ塩としては、一価又は二価アルカリ金属塩、例えばナトリウム、カリウム、リチウム及び／又はマグネシウム塩、並びに脂肪酸のアンモニウム及び／又はアルキルアンモニウム塩、好ましくはナトリウム塩が挙げられる。
【００８４】
本発明の洗浄組成物の残分は、通常、約５重量％〜約７０重量％、又は約１０重量％〜約６０重量％補助成分を含有する。
【００８５】
洗濯洗剤製品の好適な補助成分としては、ビルダー、キレート剤、移染防止剤、分散剤、レオロジー調整剤、酵素及び酵素安定剤、触媒物質、漂白活性化剤、過酸化水素、過酸化水素源、形成済みの過酸、高分子分散剤、泥汚れ除去／再付着防止剤、増白剤、泡抑制剤、染料、光漂白剤、構造伸縮性付与剤、柔軟仕上げ剤、担体、向水性物質、加工助剤、溶剤、色調剤、抗微生物剤、無香料油、及び／又は顔料が挙げられるが、これらに限らない。下記開示に加えて、このような他の補助成分の好適な例及び使用量は、米国特許第５，５７６，２８２号、同第６，３０６，８１２号及び同第６，３２６，３４８号明細書において見つけられる。液体洗濯洗剤組成物中のこれら補助成分の正確な性質及びそれらのレベルは、該組成物の具体的なタイプ、及び該組成物が使用されることになる洗浄操作の性質のような因子に依存することになる。
【００８６】
食器用洗剤製品の好適な補助成分としては、ビルダー、キレート剤、コンディショニングポリマー、洗浄用ポリマー、表面改質用ポリマー、汚れ凝集用ポリマー、構造化剤、皮膚軟化剤、保湿剤、皮膚再生活性物質、酵素、カルボン酸、スクラブ粒子、漂白剤及び漂白活性化剤、香料、悪臭防除剤、顔料、染料、乳白剤、ビーズ、真珠光沢粒子、マイクロカプセル、有機及び無機カチオン（例えば、Ｃａ／Ｍｇイオンなどのアルカリ土類金属、及びジアミン）、抗菌剤、保存薬及びｐＨ調整剤、並びに緩衝化手段が挙げられる。
【００８７】
本発明の洗浄組成物を粉末形態で提供する場合、該粉末が低レベルのビルダーを含む、又は更にはビルダーを本質的に含まないことが特に好ましいこともある。用語「本質的に含まない」は、組成物が、その材料の「意図的に加えられた量を含まない」ことを意味する。好ましい実施形態において、本発明の洗浄組成物は、ビルダーを含まない。
【００８８】
洗浄組成物の製造方法
本発明の洗浄組成物への上記成分及び上文に記載の様々な他の成分の組み込みは、任意の好適な手法で行うことができ、一般に、任意の混合又は添加順序を伴うことができる。
【００８９】
例えば、製造業者から受け取ったままのアルコキシ化ポリアルキレンイミン（単数又は複数）、有機変性シリコーン、シロキサン系希釈剤、疎水変性シリカ、シリコーン樹脂及び溶剤を、先ず、界面活性剤、例えば、約０．１〜約５．０の範囲の重量平均エトキシ化度を有するアルキルアルコキシスルフェート、好ましくはアルキルエトキシスルフェートと混合して、泡制御又は消泡剤組成物を形成することができ、次いでそれを２種以上の他の成分と混合して、最終洗剤又は洗浄組成物を形成する。別の例では、アルコキシ化ポリアルキレンイミン（単数又は複数）、有機変性シリコーン、シロキサン系希釈剤、疎水変性シリカ、シリコーン樹脂及び溶剤を、２種以上の他の成分と同時に混合して、最終洗浄組成物を１混合工程で形成することができる。更に別の例では、アルコキシ化ポリアルキレンイミン（単数又は複数）を乳化剤、分散剤又は懸濁剤と予混して、エマルジョン、ラテックス、分散液、懸濁液などを形成することができ、次いでそれを、有機変性シリコーン、シロキサン系希釈剤、疎水変性シリカ、シリコーン樹脂及び溶剤を予混することによって形成された泡制御組成物と混合し、その後、他の成分との更に別の混合工程を行って、最終洗浄組成物を形成する。これらの成分を任意の順序で、及び最終組成物の調製プロセスの任意の時点で、添加することができる。
【００９０】
洗浄組成物の使用方法
１つの態様において、本発明は、布地を洗浄するための上記洗浄組成物の使用方法に関し、この方法は、以下の工程を含む：（ｉ）上記の洗浄組成物を用意する工程；（ｉｉ）前記洗浄組成物を水で希釈することにより洗濯液を作る工程；（ｉｉｉ）前記洗濯液で布地を洗う工程；及び（ｉｖ）前記布地を水ですすぐ工程（２回以下のすすぎ後、好ましくは１回のすすぎ後、洗濯液は泡を実質的に含まず、又は洗濯液の表面積の少なくとも約７５％、好ましくは少なくとも約８５％、より好ましくは約９５％、よりいっそう好ましくは約９９％は泡不含である）。前記布地洗濯方法を、トップローディング型若しくはフロントローディング型自動洗濯機で実施してもよく、又は手洗い洗濯用途に用いることができ、これは本発明において特に好ましい。
【００９１】
別の態様において、本発明は、食器を洗浄するための上記洗浄組成物の使用方法に関する。前記方法は、洗浄組成物、好ましくは液体形態の洗浄組成物を、希釈形態又は無希釈形態で食器表面に塗布し、その後すすぐ工程を含む。「無希釈形態」とは、洗浄組成物が、塗布直前に一切希釈されることなく、処理すべき食器類表面に直接塗布されること、及び／又は洗浄道具、例えばディッシュクロス、スポンジ若しくはブラシに塗布されることを意味する。「希釈形態」とは、洗浄組成物が使用者によって適切な溶剤、通常は水で希釈されることを意味する。
【００９２】
試験方法
カチオン性ポリマーを含む本発明の組成物の特性を判定するための様々な技法が当技術分野において公知である。しかし、本願に記載し、本願にて請求する本発明が十分に理解され得るために、以下のアッセイを用いなければならない。
【００９３】
試験１：溶解度指数試験−有機変性シリコーンへの材料の混和性又は溶解度のＵＶ−Ｖｉｓ透過率％による測定
溶解度指数は、透過モードで動作するＵＶ−Ｖｉｓ分光光度計を使用して、４８０ｎｍで、１ｃｍ光路長キュベットを使用して、下記の手順に従って試料の光透過率の百分率を測定することによって決定する。好適な計器としては、Ｂｅｃｋｍａｎ  Ｃｏｕｌｔｅｒ  ｍｏｄｅｌ  ＤＵ  ８００  ＵＶ−Ｖｉｓ  Ｓｐｅｃｔｒｏｐｈｏｔｏｍｅｔｅｒ（Ｂｅｃｋｍａｎ  Ｃｏｕｌｔｅｒ  Ｉｎｃ．、米国カリフォルニア州ブレア）が挙げられる。
【００９４】
全ての試料調製及び分析を２２℃＋／−２℃の気温を有する実験室で行う。ガラス製シンチレーションバイアルの中で、組成物中に存在する主要有機相溶性シリコーンを、試験すべき材料（例えば、ポリジメチルシロキサン）と、比率８０：２０容量／容量で併せる。バイアルにキャップをし、最高速度に設定した卓上ボルテックスミキサーを使用して前記材料を５分間、入念に混合する。混合後にバイアル内に２層以上の異質な材料層がはっきりと目に見える場合には、試験材料の溶解度指数は、この方法によって判定できないと考えられる。異質の層がはっきりと目に見えない場合には、分析を続ける。
【００９５】
分光光度計ランプをつけ、測定開始前に３０分間放置して温める。４８０ｎｍの波長で透過率（％Ｔ）モードで測定値を収集するように計器を設定する。全ての試料を１ｃｍ光路長プラスチック製キュベットに入れる。キュベット内に気泡が見えた場合、測定前に、ピペットを使用して気泡を除去するか、又は気泡をキュベットから沈降させる。
【００９６】
未希釈シリコーンが入っているキュベットを脱イオン（ＤＩ）水が入っているキュベットと共に使用することによって、有機相溶性シリコーンの未希釈試料についてのベースラインをゼロに設定する。未希釈有機相溶性シリコーンの％Ｔを測定する。前の説示に従って調製した、有機相溶性シリコーンと試験試料の混合物の％Ｔを測定する。有機相溶性シリコーンと試験化合物の混合物の％Ｔを、（ベースラインとしてＤＩ水ブランクを使用して測定した）無希釈有機変性シリコーンの％Ｔと比較する。
【００９７】
溶解度指数は、少数として報告され、無希釈有機相溶性シリコーンの％Ｔで割った、有機相溶性シリコーンと試験試料の混合物の％Ｔとして算出される。例えば、特定の試験試料Ａの溶解度指数＝有機相溶性シリコーン中のＡＢＣの％Ｔ／有機相溶性シリコーンの％Ｔ＝８５％／９８％
＝０．８６７
【実施例】
【００９８】
実施例１：シリコーン消泡剤Ａ１
シリコーン消泡剤Ａ１は、攪拌機を装着した２５０ｍｌ容器に、おおよそ６５，０００の分子量を有し、７１〜７５モル％ジメチルシロキサン基、２０〜２４モル％  ２−フェニルプロピルメチルシロキサン基、３〜７モル％オクチルメチルシロキサン基を含み、末端にトリメチルシリル基を有する、７１．１４ｇのポリマー１と、２０．０６ｇの１０ｍｍ２／秒（１０ｃＳｔ）ポリジメチルシロキサン３に溶解された、トリメチルシロキサン単位とＳｉＯ２単位を約０．６５／１〜０．６７／１のＭ／Ｑ比で有する、３．８ｇのオルガノシロキサン樹脂２とを投入することによって調製する。その混合物を樹脂混合物の完全組み込みまで撹拌する。次いで、５．００ｇの沈降シリカ５を添加し、その混合物をシリカの完全組み込みが達成されるまで撹拌する。
【００９９】
実施例２：シリコーン消泡剤Ｂ１
シリコーン消泡剤Ｂ１は、攪拌機を装着した２５０ｍｌ容器に、おおよそ６５，０００の分子量を有し、７１〜７５モル％ジメチルシロキサン基、２０〜２４モル％  ２−フェニルプロピルメチルシロキサン基、３〜７モル％オクチルメチルシロキサン基を含み、末端にトリメチルシリル基を有する、６９．０５ｇのポリマー１と、２３．７０ｇの１０ｍｍ２／秒（１０ｃＳｔ）ポリジメチルシロキサン３に溶解された、トリメチルシロキサン単位とＳｉＯ２単位を約０．６５／１〜０．６７／１のＭ／Ｑ比で有する、２．２５ｇのオルガノシロキサン樹脂２とを投入することによって調製する。その混合物を樹脂混合物の完全組み込みまで撹拌する。次いで、５．００ｇの沈降シリカ５を添加し、その混合物をシリカの完全組み込みが達成されるまで撹拌する。
【０１００】
実施例３：シリコーン消泡剤Ｃ１
シリコーン消泡剤Ｃ１は、攪拌機を装着した２５０ｍｌ容器に、おおよそ６５，０００の分子量を有し、７１〜７５モル％ジメチルシロキサン基、２０〜２４モル％  ２−フェニルプロピルメチルシロキサン基、３〜７モル％オクチルメチルシロキサン基を含み、末端にトリメチルシリル基を有する、６７．６８ｇのポリマー１と、２２．５５ｇの１０ｍｍ２／秒（１０ｃＳｔ）ポリジメチルシロキサン３に溶解された、トリメチルシロキサン単位とＳｉＯ２単位を約０．６５／１〜０．６７／１のＭ／Ｑ比で有する、２．２５ｇのオルガノシロキサン樹脂２とを投入することによって調製する。その混合物を樹脂混合物の完全組み込みまで撹拌する。次いで、７．５２ｇの沈降シリカ５を添加し、その混合物をシリカの完全組み込みが達成されるまで撹拌する。
【０１０１】
実施例４：シリコーン消泡剤Ｄ１
シリコーン消泡剤Ｄ１は、攪拌機を装着した２５０ｍｌ容器に、おおよそ６５，０００の分子量を有し、７１〜７５モル％ジメチルシロキサン基、２０〜２４モル％  ２−フェニルプロピルメチルシロキサン基、３〜７モル％オクチルメチルシロキサン基を含み、末端にトリメチルシリル基を有する、７０．５６ｇのポリマー１と、３．００ｇのステアリン酸２−エチルヘキシル４に溶解された、トリメチルシロキサン単位とＳｉＯ２単位を約０．６５／１〜０．６７／１のＭ／Ｑ比で有する、３．８０ｇのオルガノシロキサン樹脂２と、１７．６４ｇの１０ｍｍ２／秒（１０ｃＳｔ）ポリジメチルシロキサン３とを投入することによって調製する。その混合物を樹脂混合物の完全組み込みまで撹拌する。次いで、５．００ｇの沈降シリカ５を添加し、その混合物をシリカの完全に組み込みが達成されるまで撹拌する。
【０１０２】
実施例５：シリコーン消泡剤Ｅ１
シリコーン消泡剤Ｅ１は、攪拌機を装着した２５０ｍｌ容器に、おおよそ６５，０００の分子量を有し、７１〜７５モル％ジメチルシロキサン基、２０〜２４モル％  ２−フェニルプロピルメチルシロキサン基、３〜７モル％オクチルメチルシロキサン基を含み、末端にトリメチルシリル基を有する、６７．６８ｇのポリマー１と、２２．５５ｇの１０ｍｍ２／秒（１０ｃＳｔ）ポリジメチルシロキサン３に溶解された、トリメチルシロキサン単位とＳｉＯ２単位を約０．６５／１〜０．６７／１のＭ／Ｑ比で有する、２．２５ｇのオルガノシロキサン樹脂２とを投入することによって調製する。その混合物を樹脂混合物の完全組み込みまで撹拌する。次いで、５．００ｇの沈降シリカ５を添加し、２．５２ｇヒュームドシリカ６を添加し、その混合物をシリカの完全に組み込みが達成されるまで撹拌する。
【０１０３】
実施例６：シリコーン消泡剤Ｆ１
シリコーン消泡剤Ｆ１は、攪拌機を装着した２５０ｍｌ容器に、おおよそ６５，０００の分子量を有し、７１〜７５モル％ジメチルシロキサン基、２０〜２４モル％  ２−フェニルプロピルメチルシロキサン基、３〜７モル％  ２−フェニルプロピルメチルシロキサン基、３〜７モル％オクチルメチルシロキサン基を含み、末端にトリメチルシリル基を有する、４２．７０ｇのポリマー１と、２．４０ｇのステアリン酸２−エチルヘキシル４に溶解された、トリメチルシロキサン単位とＳｉＯ２単位を約０．６５／１〜０．６７／１のＭ／Ｑ比で有する、２．４０ｇのオルガノシロキサン樹脂２と、２８．５０ｇの１０ｍｍ２／秒（１０ｃＳｔ）ポリジメチルシロキサン３と、２０．００ｇの７ｍｍ２／秒（７ｃＳｔ）ポリジメチルシロキサン７とを投入することによって調製する。その混合物を樹脂混合物の完全組み込みまで撹拌する。次いで、４．００ｇの沈降シリカ５を添加し、その混合物をシリカの完全に組み込みが達成されるまで撹拌する。
【０１０４】
実施例７：シリコーン消泡剤Ｇ１
シリコーン消泡剤Ｇ１は、攪拌機を装着した２５０ｍｌ容器に、おおよそ６５，０００の分子量を有し、７１〜７５モル％ジメチルシロキサン基、２０〜２４モル％  ２−フェニルプロピルメチルシロキサン基、３〜７モル％オクチルメチルシロキサン基を含み、末端にトリメチルシリル基を有する、６５．５２ｇのポリマー１と、トリメチルシロキサン単位とＳｉＯ２単位を約０．６５／１〜０．６７／１のＭ／Ｑ比で有する６．０ｇのオルガノシロキサン樹脂２とを投入することによって調製する。その混合物を樹脂の完全組み込みまで撹拌する。次いで、５．２５ｇのＳｉｐｅｒｎａｔ  ３５沈降シリカ５及び１．７５ｇのＡｅｒｏｓｉｌ  ２００フュームドシリカ５添加し、その混合物をシリカの完全に組み込みが達成されるまで撹拌する。次いで、０．７９ｇのカリウムメトキシドを添加し、混合物を４時間、２００℃で撹拌し、周囲温度に冷却し、１８．４８ｇの１０ｍｍ２／秒（１０ｃＳｔ）ポリジメチルシロキサン３及び３．００ｇのステアリン酸２−エチルヘキシルを添加し、完全組み込みが達成されるまで撹拌して、粘稠な半透明液体を得る。
【０１０５】
実施例８：シリコーン消泡剤Ｈ１
シリコーン消泡剤Ｈ１は、攪拌機を装着した２５０ｍｌ容器に、おおよそ６５，０００の分子量を有し、７１〜７５モル％ジメチルシロキサン基、２７〜３３モル％  ２−フェニルプロピルメチルシロキサン基、３〜７モル％オクチルメチルシロキサン基を含み、末端にトリメチルシリル基を有する、７０．５６ｇのポリマー１と、３．００ｇのステアリン酸２−エチルヘキシル４に溶解された、トリメチルシロキサン単位とＳｉＯ２単位を約０．６５／１〜０．６７／１のＭ／Ｑ比で有する、３．８０ｇのオルガノシロキサン樹脂２と、１７．６４ｇの１０ｍｍ２／秒（１０ｃＳｔ）ポリジメチルシロキサン３とを投入することによって調製する。その混合物を樹脂混合物の完全組み込みまで撹拌する。次いで、５．００ｇの沈降シリカ５を添加し、その混合物をシリカの完全に組み込みが達成されるまで撹拌する。
１  Ｓｈｉｎ−Ｅｔｓｕ  Ｓｉｌｉｃｏｎｅｓ  ｏｆ  Ａｍｅｒｉｃａ（オハイオ州アクロン）によって供給される
２  Ｗａｃｋｅｒ  Ｓｉｌｉｃｏｎｅｓ（ミシガン州エードリアン）によって商品名Ｂｅｌｓｉｌ（登録商標）８０３で供給される
３  Ｓｈｉｎ−Ｅｔｓｕ  Ｓｉｌｉｃｏｎｅｓ  ｏｆ  Ａｍｅｒｉｃａ（オハイオ州アクロン）によって供給される
４  Ｗａｋｏ  Ｃｈｅｍｉｃａｌｓ  ＵＳＡ，Ｉｎｃ（バージニア州リッチモンド）によって供給される
５  Ｅｖｏｎｉｋ  Ｄｅｇｕｓｓａ  Ｃｏｒｐｏｒａｔｉｏｎ（ニュージャージー州パーシッパニー）から入手可能
６  Ｅｖｏｎｉｋ  Ｄｅｇｕｓｓａ  Ｃｏｒｐｏｒａｔｉｏｎ（ニュージャージー州パーシッパニー）から入手可能
７  Ｇｅｌｅｓｔ，Ｉｎｃ．（ペンシルバニア州モリスビル）から入手可能
【０１０６】
実施例９：アルコキシ化ポリアルコキシレンイミン（ＰＥＩ）とシリコーン消泡剤（ＳＡ）の併用によって達成される相乗的に改善されるすすぎ泡プロファイル
以下のものを含む四（４）つの液体洗濯洗剤組成物を調製する：（Ａ）いずれのアルコキシ化ポリアルコキシレンイミンも、いずれの消泡剤プレミックスも含有しない、対照組成物；（Ｂ）本発明のアルコキシ化ポリアルコキシレンイミンを前記対照組成物に添加することによって形成した、しかしいずれの消泡剤プレミックスも含まない、第一の比較組成物；（Ｃ）実施例４のシリコーン消泡剤Ｄ１を前記対照組成物に添加することによって形成した、しかしいずれのアルコキシ化ポリアルコキシレンイミンも含まない、第二の比較組成物；及び（Ｄ）本発明のアルコキシ化ポリアルコキシレンイミン及び実施例４のシリコーン消泡剤１を前記対照組成物に添加することによって形成した本発明の組成物。これら４つの試料組成物の詳細な組成の内訳を次の通り表Ｉに収載する：
【０１０７】
【表１】
0006656158.tif 000004
【０１０８】
これら４つの試料組成物を使用して布地の手洗いして、それによってその手洗い過程の間に生じた泡プロファイルを観察する。試料組成物ごとに、以下の手洗い試験プロコルに従う：
先ず、直径４０ｃｍ、深さ１９ｃｍの赤いプラスチック製たらいに、０．１７１ｇ／Ｌ（１２ｇｐｇ）水硬度及び４：１のＣａ／Ｍｇ比を有する室温の５リットルの水で満たす。二十五（２５）グラムの試料液体洗剤組成物を計量し、たらいに注入する。その洗濯溶液を手で円を描くように１０回撹拌して、十分な溶解を確保する。各試料液体洗剤組成物によって洗うための布地洗濯物は、（１）サイズ４０ｃｍ×４０ｃｍ、重量１２５ｇのニット綿４片、（２）０．４グラムの泥微粒子が付いている望ましい１０．５ｃｍ×１０．５ｃｍサイズを有する汚した綿生地見本、及び（３）消費者パネルから集めた重量１９０グラムの汚れた白い綿シャツを含む。試験したシャツは、全て同じブランド及びサイズのものであり、消費者パネルが同じ期間、着用したものである。襟の汚れレベルが類似している汚れたシャツを選択して、ばらつきを最小にする。
【０１０９】
各ニット綿片、汚した綿生地見本を１０回のこすり洗いで手洗いする。汚れたシャツを襟については２０回のこすり洗い、シャツの胴体部分については１０回のこすりシ洗いで手洗いする。洗い終わりに洗液面の泡の高さを定規で測定する。
【０１１０】
その後、ニット綿４片、綿生地見本及びシャツを洗液から取り出し、９９０ｇの持ち越し液重量（すなわち、濡れた布地全体が１４４０ｇ）になるように絞る。
【０１１１】
第１のすすぎを開始するために、絞った布地洗濯物を、上文に記載のものと同じ硬度を有する７Ｌの水が入っているすすぎ用たらいに入れる。３回のこすり洗いを各布片に適用する。布地を取り出した後、すすぎ用たらいの上から写真を撮る。すすぎ液の表面に浮いている泡は、次の３つの異なる泡被覆率カテゴリーに分類することができる：（ｉ）高密度層（不透明白色、赤いたらいの底が視界から遮断される）、（ｉｉ）低密度層（半透明白色、赤いたらいの底がぼんやりと見える）、（ｉｉｉ）水層（透明な水、たらい底がはっきりと見える）。泡被覆率のこれら３つカテゴリーは、グレースケール撮像の際、別個の明度を表示する。泡の密度が高いほど、撮像明度は明るくなる。すすぎ泡画像を撮像分析ソフトウェアによって処理して、高密度の泡がすすぎ液面に存在する領域に対応する、被定義閾値より明るい画素の数をカウントすることにより、高密度泡層（ｉ）の表面積を算出する。高密度泡層の算出表面積が小さいほど、試料組成物は、すすぎ中の泡を低減させる効率が大きい。
【０１１２】
次の表ＩＩは、試験した四（４）つの試料液体洗濯洗剤組成物の各々についてのすすぎ後の高密度泡層の算出表面積（たらいの全表面積に対する％）を含む。更に、比較試料（Ｂ）及び（Ｃ）並びに本発明の試料（Ｄ）の測定結果を対照試料（Ａ）の測定結果に対して正規化して相対すすぎ泡低減指数（ΔＥ）を得、これは、試料組成物の高密度すすぎ泡表面積−対照組成物の高密度すすぎ泡表面積として算出する。
【０１１３】
【表２】
0006656158.tif 000005
【０１１４】
本発明のアルコキシ化ポリアルキレンイミンと、有機変性シリコーンを含有するシリコーン消泡剤と、シロキサン系希釈剤とが一緒に作用して、対照液体洗濯洗剤組成物のすすぎ泡を相乗的に低減させることは、上記の結果から明らかである。
【０１１５】
実施例１０−例示的液体洗濯洗剤組成物
下に列挙する成分を下に示す比率で混合することによって液体洗濯洗剤組成物１０Ａ〜１０Ｅを製造する：
【０１１６】
【表３】
0006656158.tif 000006
１  Ｓｈｅｌｌ  Ｃｈｅｍｉｃａｌｓ（テキサス州ヒューストン）から入手可能。
２  Ｈｕｎｔｓｍａｎ  Ｃｈｅｍｉｃａｌｓ（ユタ州ソルトレイクシティー）から入手可能。
３  Ｓａｓｏｌ  Ｃｈｅｍｉｃａｌｓ（南アフリカ、ヨハネルブルク）から入手可能
４  Ｅｖｏｎｉｋ  Ｃｏｒｐｏｒａｔｉｏｎ（バージニア州ホープウェル）から入手可能。
５  Ｔｈｅ  Ｐｒｏｃｔｅｒ  ＆  Ｇａｍｂｌｅ  Ｃｏｍｐａｎｙ（オハイオ州シンシナティ）から入手可能。
６  Ｓｉｇｍａ  Ａｌｄｒｉｃｈ  ｃｈｅｍｉｃａｌｓ（ウィスコンシン州ミルウォーキー）から入手可能
７  Ｇｅｎｅｎｃｏｒ  Ｉｎｔｅｒｎａｔｉｏｎａｌ（カリフォルニア州サウスサンフランシスコ）から入手可能。
８  Ｃｉｂａ  Ｓｐｅｃｉａｌｔｙ  Ｃｈｅｍｉｃａｌｓ（ノースカロライナ州ハイポイント）から入手可能
９  ＢＡＳＦ（ドイツ、ルートヴィヒスハーフェン）から入手可能な、−ＮＨ当たり２０個のエトキシレート基を有する分子量６００ｇ／ｍｏｌのポリエチレンイミン骨格。
１０  −ＮＨ当たり２４個のエトキシレート基及び−ＮＨ当たり１６個のプロポキシレート基を有する、分子量６００ｇ／ｍｏｌのポリエチレンイミン骨格。ＢＡＳＦ（ドイツ、ルートヴィヒスハーフェン）から入手可能。
１１  国際公開特許第０１／０５８７４号に記載されており、ＢＡＳＦ（ドイツ、ルートヴィヒスハーフェン）から入手可能
１２  商品名ＴｈｉｘｉｎＲでＥｌｅｍｅｎｔｉｓ  Ｓｐｅｃｉａｌｔｉｅｓ（ニュージャージー州ハイツタウン）から入手可能
【０１１７】
実施例１１：液体又はゲル状洗剤
下に列挙する成分を下に示す比率で混合することによって液体又はゲル状布地ケア洗剤組成物１１Ａ〜１１Ｅを調製する：
【０１１８】
【表４】
0006656158.tif 000007
１３  Ｎｏｖｏｚｙｍｅｓ（デンマーク、コペンハーゲン）から入手可能。
１４  ＰＥＧ−ＰＶＡグラフトコポリマーは、ポリエチレンオキシド主鎖と複数のポリ酢酸ビニル側鎖とを有する、ＢＡＳＦ（ドイツ、ルートヴィヒスハーフェン）から入手可能なポリ酢酸ビニルグラフト化ポリエチレンオキシドコポリマーである。ポリエチレンオキシド主鎖の分子量は、約６０００であり、ポリエチレンオキシドのポリ酢酸ビニルに対する重量比は、約４０対６０である。
【０１１９】
実施例１２：リンス添加型布地ケア組成物
下に示す成分を混合することによって、リンス添加型布地ケア組成物１２Ａ〜１２Ｄを調製する：
【０１２０】
【表５】
0006656158.tif 000008
１５  Ｎ，Ｎジ（タロイルオキシエチル）−Ｅｖｏｎｉｋ  Ｃｏｒｐｏｒａｔｉｏｎ（バージニア州ホープウェル）から入手可能なＮ，Ｎジメチルアンモニウムクロリド
１６  Ｅｖｏｎｉｋ  Ｃｏｒｐｏｒａｔｉｏｎ（バージニア州ホープウェル）から入手可能な、結果としてＮ，Ｎ−ジ（タロイルオキシエチル）Ｎ，Ｎ−ジメチルアンモニウムクロリドとＮ−（タロイルオキシエチル）Ｎ−ヒドロキシエチルＮ，Ｎ−ジメチルアンモニウムクロリドの２．５：１モル混合物になる、脂肪酸とメチルクロリドで四級化されたメチルジエタノールアミンとの反応生成物。
１７  ２５％〜９５％アミロース及び０．０２〜０．０９の置換度を有し、並びに５０〜８４の値を有する水流動性として測定される粘度を有する、一般的なトウモロコシデンプン又はジャガイモデンプンに基づくカチオン性デンプン。Ｎａｔｉｏｎａｌ  Ｓｔａｒｃｈ（ニュージャージー州ブリッジウォーター）から入手可能。
１８  ＢＡＳＦ，ＡＧ（ルートヴィヒスハーフェン）から商品名Ｓｅｄｉｐｕｒ  ５４４として入手可能な、アクリルアミド／［２−（アクリロイルアミノ）エチル］トリ−メチルアンモニウムクロリド（四級化ジメチルアミノエチルアクリレート）のコポリマーなどの、カチオン性ポリアクリルアミドポリマー。
１９  ウィスコンシン州アップルトンのＡｐｐｌｅｔｏｎ  Ｐａｐｅｒから入手可能。
【０１２１】
実施例１３：粉末洗濯洗剤組成物
下に示す成分を混合することによって、粉末洗濯洗剤組成物１３Ａ〜１３Ｃを調製する：
【０１２２】
【表６】
0006656158.tif 000009
【０１２３】
表１４：液体食器用洗剤組成物
下に示す成分を混合することによって、液体食器用洗剤組成物１４Ａ〜１３Ｇを調製する：
【０１２４】
【表７】
0006656158.tif 000010
【０１２５】
本明細書に引用する全ての文献は、一切の相互参照出願又は関連出願を含めて、明示的除外又は別段の限定がない限り、その全体が参照により本明細書に組み込まれている。いずれの文献の引用も、本願にて開示若しくは請求するいずれかの発明に対する先行技術であることを承認するものではなく、また、単独で、若しくは他のいずれかの参照文献（単数若しくは複数）との任意の組み合わせで、当該発明のいずれかを教示、示唆若しくは開示していることを承認するものでもない。更に、本文書における用語のいずれかの意味又は定義が、参照により組み込まれている文献における同じ用語のいずれかの意味又は定義と矛盾する場合は、本文書においてその用語に付与する意味又は定義を優先するものとする。
【０１２６】
本発明の特定の実施形態を例証し、説明したが、本発明の趣旨及び範囲から逸脱することなく他の様々な変更及び修正を行うことができることは当業者には自明であろう。したがって、本発明の範囲内に存するそのような変更及び修正は全て、添付の特許請求の範囲に包含されると解釈される。